(57)【要約】【課題】非接触通信により携帯端末から画像処理装置に送信された情報に基づき、ユーザが意図した動作を画像処理装置が実行できる画像処理システム等を提供する。【解決手段】相互に非接触で通信可能な携帯端末と画像処理装置とを備えた画像処理システムである。携帯端末は、表示手段と、表示手段に何が表示されているかを示す表示情報を非接触通信により送信する送信手段と、を備え、画像処理装置は、携帯端末から送信されてきた表示情報を非接触通信により受信する受信手段と、表示情報と画像処理装置が実行すべき動作とを予め対応付けて記憶する記憶手段と、記憶手段に記憶された表示情報及び実行すべき動作と、前記受信手段により受信された表示情報とに基づいて、受信された表示情報に対応する実行すべき動作を決定し、該動作を実行するように画像処理装置を制御する制御手段と、を備えている。【選択図】図１３
2010199642.tif 000002
【特許請求の範囲】
【請求項１】
相互に非接触で通信可能な携帯端末と画像処理装置とを備えた画像処理システムであって、
前記携帯端末は、
表示手段と、
該表示手段に何が表示されているかを示す表示情報を非接触通信により送信する送信手段と、
を備え、
前記画像処理装置は、
前記携帯端末から送信されてきた表示情報を非接触通信により受信する受信手段と、
前記表示情報と画像処理装置が実行すべき動作とを予め対応付けて記憶する記憶手段と、
前記記憶手段に記憶された表示情報及び実行すべき動作と、前記受信手段により受信された表示情報とに基づいて、受信された表示情報に対応する実行すべき動作を決定し、該動作を実行するように画像処理装置を制御する制御手段と、
を備えたことを特徴とする画像処理システム。
【請求項２】
前記表示情報が所定フォーマットのドキュメントが表示されていることを示す情報であり、
前記携帯端末の送信手段は、携帯端末のユーザを示すユーザ情報を送信し、
前記画像処理装置の記憶手段は、自装置が過去に動作を実行したドキュメントのフォーマット種別、実行した動作及び動作実行時刻をユーザ毎の動作履歴として記憶し、
前記画像処理装置の制御手段は、前記記憶手段に記憶された動作履歴におけるユーザ情報、フォーマット種別、動作実行時刻と、前記受信手段で受信したユーザ情報、ドキュメントのフォーマット種別、受信時刻とを比較し、これらが合致する動作履歴における動作を実行する請求項１に記載の画像処理システム。
【請求項３】
前記画像処理装置が実行する動作が、前記ドキュメントの印刷である請求項１または２に記載の画像処理システム。
【請求項４】
前記表示情報がドキュメントの先頭ページが表示されていることを示す情報である場合には、前記画像処理装置は、前記ドキュメントの先頭ページからの印刷を実行し、ドキュメントの途中ページが表示されていることを示す情報である場合には、前記ドキュメントの途中ページ以降の印刷を実行する請求項３に記載の画像処理システム。
【請求項５】
前記画像処理装置は原稿を読み取る読み取り手段を備え、
前記表示情報が電子メールアドレスの設定された電子メール設定画面が表示されていることを示す情報である場合は、前記画像処理装置は、前記読み取り手段により読み取られた原稿の画像データを添付ファイルとする電子メールを、前記電子メールアドレスに送信するための設定画面を、画像処理装置の表示手段に表示する請求項１に記載の画像処理システム。
【請求項６】
前記表示情報が、所定のウェブページのアドレスを示すブックマークの表示中であることを示す情報である場合は、前記画像処理装置は、前記ウェブページのアドレスにアクセスし、得られたウェブページを画像処理装置の表示手段に表示する請求項１に記載の画像処理システム。
【請求項７】
前記画像処理装置の記憶手段は、記憶領域である１個又は複数個のボックスを備え、
前記表示情報が、携帯端末が有するフォルダを表示中であることを示す情報であり、かつ表示情報に、該フォルダに保存されているファイルのリストが含まれている場合は、前記画像処理装置は、前記携帯端末が有するフォルダの内容と画像処理装置における前記フォルダに対応する前記ボックスの内容とを一致させるフォルダ同期処理を実行する請求項１に記載の画像処理システム。
【請求項８】
前記表示情報が、地図データを表示中であることを示す情報である場合は、前記画像処理装置は、ウェブサイトから同一地点の詳細な地図データをダウンロードして画像処理装置の表示手段に表示する請求項１に記載の画像処理システム。
【請求項９】
前記表示情報に、画像処理装置の原稿読み取り手段の読み取り解像度及び添付ファイルのフォーマットの設定値が含まれている場合には、前記画像処理装置は、前記設定画面を表示手段に表示することなく、読み取り手段による原稿の読み取り及び電子メールの送信を実行する請求項５に記載の画像処理システム。
【請求項１０】
前記表示情報に、電子メール設定画面の電子メール本文に所定の情報が入力されたことを示す情報が含まれている場合には、画像処理装置は、前記設定画面を画像処理装置の表示手段に表示させることなく、読み取り手段による原稿の読み取り及び電子メールの送信を実行する請求項５に記載の画像処理システム。
【請求項１１】
前記表示情報に、電子メール設定画面の電子メール本文に所定の情報以外の情報が入力されたことを示す情報が含まれている場合には、画像処理装置は、前記原稿読み取り手段により読み取られた原稿の画像データを携帯端末に送信する請求項５に記載の画像処理システム。
【請求項１２】
携帯端末と非接触で通信可能な画像処理装置であって、
前記携帯端末から非接触通信により送信されてきた、該携帯端末の表示手段に何が表示されているかを示す表示情報を受信する受信手段と、
前記表示情報と自装置が実行すべき動作とを予め対応付けて記憶する記憶手段と、
前記記憶手段に記憶された表示情報及び実行すべき動作と、前記受信手段により受信された表示情報とに基づいて、受信された表示情報に対応する実行すべき動作を決定し、該動作を実行するように自装置を制御する制御手段と、
を備えたことを特徴とする画像処理装置。
【請求項１３】
前記表示情報が所定フォーマットのドキュメントが表示されていることを示す情報であり、
前記受信手段は、携帯端末のユーザを示すユーザ情報を受信し、
前記記憶手段は、自装置が過去に動作を実行したドキュメントのフォーマット種別、実行した動作及び動作実行時刻をユーザ毎の動作履歴として記憶し、
前記制御手段は、前記記憶手段に記憶された動作履歴におけるユーザ情報、フォーマット種別、動作実行時刻と、前記受信手段で受信したユーザ情報、ドキュメントのフォーマット種別、受信時刻とを比較し、これらが合致する動作履歴における動作を実行するように自装置を制御する請求項１２に記載の画像処理装置。
【請求項１４】
前記実行すべき動作が前記ドキュメントの印刷であり、前記制御手段は自装置にそのドキュメントの印刷を実行させる請求項１２または１３に記載の画像処理装置。
【請求項１５】
前記表示情報がドキュメントの先頭ページが表示されていることを示す情報である場合には、前記制御手段は、前記ドキュメントの先頭ページからの印刷を実行し、ドキュメントの途中ページが表示されていることを示す情報である場合には、前記ドキュメントの途中ページ以降の印刷を実行するように、自装置を制御する請求項１４に記載の画像処理装置。
【請求項１６】
原稿を読み取る読み取り手段を備え、
前記表示情報が電子メールアドレスの設定された電子メール設定画面が表示されていることを示す情報である場合は、前記制御手段は、前記読み取り手段により読み取られた原稿の画像データを添付ファイルとする電子メールを、前記電子メールアドレスに送信するための設定画面を、自装置の表示手段に表示するように自装置を制御する請求項１２に記載の画像処理装置。
【請求項１７】
前記表示情報が、所定のウェブページのアドレスを示すブックマークの表示中であることを示す情報である場合は、前記制御手段は、前記ウェブページのアドレスにアクセスし、得られたウェブページを自装置の表示手段に表示するように自装置を制御する請求項１２に記載の画像処理装置。
【請求項１８】
前記記憶手段は、記憶領域である１個又は複数個のボックスを備え、
前記表示情報が、携帯端末が有するフォルダを表示中であることを示す情報であり、かつ表示情報に、該フォルダに保存されているファイルのリストが含まれている場合は、前記制御手段は、前記携帯端末が有するフォルダの内容と前記フォルダに対応する前記ボックスの内容とを一致させるフォルダ同期処理を実行するように自装置を制御する請求項１２に記載の画像処理装置。
【請求項１９】
前記表示情報が、地図データを表示中であることを示す情報である場合は、前記制御手段は、ウェブサイトから同一地点の詳細な地図データをダウンロードして自装置の表示手段に表示するように自装置を制御する請求項１２に記載の画像処理装置。
【請求項２０】
前記表示情報に、前記原稿読み取り手段の読み取り解像度及び添付ファイルのフォーマットの設定値が含まれている場合には、前記制御手段、前記設定画面を表示手段に表示させることなく、読み取り手段による原稿の読み取り及び電子メールの送信を実行するように自装置を制御する請求項１６に記載の画像処理装置。
【請求項２１】
前記表示情報に、携帯端末の電子メール設定画面の電子メール本文に所定の情報が入力されたことを示す情報が含まれている場合には、前記制御手段は、前記設定画面を自装置の表示手段に表示させることなく、読み取り手段による原稿の読み取り及び電子メールの送信を実行するように自装置を制御する請求項１６に記載の画像処理装置。
【請求項２２】
前記表示情報に、電子メール設定画面の電子メール本文に所定の情報以外の情報が入力されたことを示す情報が含まれている場合には、前記制御手段は、前記原稿読み取り手段により読み取られた原稿の画像データを携帯端末に送信するように自装置を制御する請求項１６に記載の画像処理装置。
【請求項２３】
相互に非接触で通信可能な携帯端末と画像処理装置を備えた画像処理システムの動作方法であって、
前記携帯端末は、
該携帯端末の表示手段に何が表示されているかを示す表示情報を非接触通信により送信する送信ステップを実行し、
前記画像処理装置は、
前記携帯端末から送信されてきた表示情報を非接触通信により受信する受信ステップと、
表示情報と画像処理装置が実行すべき動作とを予め対応付けて記憶する記憶手段の前記表示情報及び実行すべき動作と、前記受信ステップにおいて受信された表示情報とに基づいて、前記実行すべき動作を決定し、該動作を実行するように画像処理装置を制御する制御ステップと、
を実行する画像処理システムの動作方法。
【請求項２４】
前記表示情報が所定フォーマットのドキュメントが表示されていることを示す情報であり、
前記送信ステップでは、携帯端末のユーザを示すユーザ情報を送信し、
前記画像処理装置の記憶手段は、自装置が過去に動作を実行したドキュメントのフォーマット種別、実行した動作及び動作実行時刻をユーザ毎の動作履歴として記憶し、
前記画像処理装置の制御ステップでは、前記記憶手段に記憶された動作履歴におけるユーザ情報、フォーマット種別、動作実行時刻と、前記受信ステップにおいて受信したユーザ情報、ドキュメントのフォーマット種別、受信時刻とを比較し、これらが合致する動作履歴における動作を実行する請求項２３に記載の画像処理システムの動作方法。
【請求項２５】
携帯端末と非接触で通信可能な画像処理装置のコンピュータに実行させるための動作プログラムであって、
前記携帯端末から非接触通信により送信されてきた、該携帯端末の表示手段に何が表示されているかを示す表示情報を受信する受信ステップと、
前記表示情報と自装置が実行すべき動作とを予め対応付けて記憶する記憶手段の前記表示情報及び実行すべき動作と、前記受信ステップにおいて受信された表示情報とに基づいて、前記実行すべき動作を決定し、該動作を実行するように画像処理装置を制御するステップと、
を画像処理装置のコンピュータに実行させるための画像処理装置の動作プログラム。
【請求項２６】
前記表示情報が所定フォーマットのドキュメントが表示されていることを示す情報であり、
前記受信ステップでは、携帯端末のユーザを示すユーザ情報を受信し、
前記記憶手段は、自装置が過去に動作を実行したドキュメントのフォーマット種別、実行した動作及び動作実行時刻をユーザ毎の動作履歴として記憶し、
前記画像処理装置の制御ステップでは、前記記憶手段に記憶された動作履歴におけるユーザ情報、フォーマット種別、動作実行時刻と、前記受信ステップにおいて受信したユーザ情報、ドキュメントのフォーマット種別、受信時刻とを比較し、これらが合致する動作履歴における動作を実行するように、画像処理装置を制御する処理をコンピュータに実行させる請求項２５に記載の動作プログラム。
【発明の詳細な説明】
【技術分野】
【０００１】
この発明は、相互に非接触で通信可能な携帯電話等の携帯端末と、画像形成装置等の画像処理装置とを備えた画像処理システムとその動作方法、画像処理装置とその動作プログラムに関する。
【背景技術】
【０００２】
近年、例えばコピー機能、プリンタ機能、スキャン機能ＦＡＸ機能等の機能を備えた多機能デジタル画像形成装置であるＭＦＰ（Multi Function Peripherals）として、非接触通信部を有するものが提供されている。一方、携帯端末としても、非接触通信部を有するものが提供され、またこのような携帯端末によりＭＦＰを操作することにより、ＭＦＰの操作性の向上を図る技術が提案されている（例えば特許文献１及び２参照）。
【先行技術文献】
【特許文献】
【０００３】
【特許文献１】特開２００４−２３６０３１号公報
【特許文献２】特開２００４−３６４００２号公報
【発明の概要】
【発明が解決しようとする課題】
【０００４】
しかしながら、前記特許文献１及び２を含め、携帯端末により非接触通信部を介してＭＦＰを操作する従来の技術は、携帯端末側の設定を単に送信したり、単に情報を通知するにすぎないものであった。このため、携帯端末から送信された設定や通知された情報を用いてＭＦＰに意図する動作を行わせるためには、ユーザがＭＦＰを操作しなければならず、手間がかかるという問題があった。
【０００５】
この発明は、このような技術的背景に鑑みてなされたものであって、非接触通信により携帯端末から画像処理装置に送信された情報に基づいて、ユーザが意図した動作を画像処理装置が実行することができる画像処理システム及びその動作方法を提供し、さらに前記画像処理システムに好適に用いることができる画像処理装置及び画像処理装置のコンピュータに動作を実行させるための動作プログラムを提供することを課題とする。
【課題を解決するための手段】
【０００６】
上記課題は以下の手段により解決される。
（１）相互に非接触で通信可能な携帯端末と画像処理装置とを備えた画像処理システムであって、前記携帯端末は、表示手段と、該表示手段に何が表示されているかを示す表示情報を非接触通信により送信する送信手段と、を備え、前記画像処理装置は、前記携帯端末から送信されてきた表示情報を非接触通信により受信する受信手段と、前記表示情報と画像処理装置が実行すべき動作とを予め対応付けて記憶する記憶手段と、前記記憶手段に記憶された表示情報及び実行すべき動作と、前記受信手段により受信された表示情報とに基づいて、受信された表示情報に対応する実行すべき動作を決定し、該動作を実行するように画像処理装置を制御する制御手段と、を備えたことを特徴とする画像処理システム。
（２）前記表示情報が所定フォーマットのドキュメントが表示されていることを示す情報であり、前記携帯端末の送信手段は、携帯端末のユーザを示すユーザ情報を送信し、前記画像処理装置の記憶手段は、自装置が過去に動作を実行したドキュメントのフォーマット種別、実行した動作及び動作実行時刻をユーザ毎の動作履歴として記憶し、前記画像処理装置の制御手段は、前記記憶手段に記憶された動作履歴におけるユーザ情報、フォーマット種別、動作実行時刻と、前記受信手段で受信したユーザ情報、ドキュメントのフォーマット種別、受信時刻とを比較し、これらが合致する動作履歴における動作を実行する前項１に記載の画像処理システム。
（３）前記画像処理装置が実行する動作が、前記ドキュメントの印刷である前項１または２に記載の画像処理システム。
（４）前記表示情報がドキュメントの先頭ページが表示されていることを示す情報である場合には、前記画像処理装置は、前記ドキュメントの先頭ページからの印刷を実行し、ドキュメントの途中ページが表示されていることを示す情報である場合には、前記ドキュメントの途中ページ以降の印刷を実行する前項３に記載の画像処理システム。
（５）前記画像処理装置は原稿を読み取る読み取り手段を備え、前記表示情報が電子メールアドレスの設定された電子メール設定画面が表示されていることを示す情報である場合は、前記画像処理装置は、前記読み取り手段により読み取られた原稿の画像データを添付ファイルとする電子メールを、前記電子メールアドレスに送信するための設定画面を、画像処理装置の表示手段に表示する前項１に記載の画像処理システム。
（６）前記表示情報が、所定のウェブページのアドレスを示すブックマークの表示中であることを示す情報である場合は、前記画像処理装置は、前記ウェブページのアドレスにアクセスし、得られたウェブページを画像処理装置の表示手段に表示する前項１に記載の画像処理システム。
（７）前記画像処理装置の記憶手段は、記憶領域である１個又は複数個のボックスを備え、前記表示情報が、携帯端末が有するフォルダを表示中であることを示す情報であり、かつ表示情報に、該フォルダに保存されているファイルのリストが含まれている場合は、前記画像処理装置は、前記携帯端末が有するフォルダの内容と画像処理装置における前記フォルダに対応する前記ボックスの内容とを一致させるフォルダ同期処理を実行する前項１に記載の画像処理システム。
（８）前記表示情報が、地図データを表示中であることを示す情報である場合は、前記画像処理装置は、ウェブサイトから同一地点の詳細な地図データをダウンロードして画像処理装置の表示手段に表示する前項１に記載の画像処理システム。
（９）前記表示情報に、画像処理装置の原稿読み取り手段の読み取り解像度及び添付ファイルのフォーマットの設定値が含まれている場合には、前記画像処理装置は、前記設定画面を表示手段に表示することなく、読み取り手段による原稿の読み取り及び電子メールの送信を実行する前項５に記載の画像処理システム。
（１０）前記表示情報に、電子メール設定画面の電子メール本文に所定の情報が入力されたことを示す情報が含まれている場合には、画像処理装置は、前記設定画面を画像処理装置の表示手段に表示させることなく、読み取り手段による原稿の読み取り及び電子メールの送信を実行する前項５に記載の画像処理システム。
（１１）前記表示情報に、電子メール設定画面の電子メール本文に所定の情報以外の情報が入力されたことを示す情報が含まれている場合には、画像処理装置は、前記原稿読み取り手段により読み取られた原稿の画像データを携帯端末に送信する前項５に記載の画像処理システム。
（１２）携帯端末と非接触で通信可能な画像処理装置であって、前記携帯端末から非接触通信により送信されてきた、該携帯端末の表示手段に何が表示されているかを示す表示情報を受信する受信手段と、前記表示情報と自装置が実行すべき動作とを予め対応付けて記憶する記憶手段と、前記記憶手段に記憶された表示情報及び実行すべき動作と、前記受信手段により受信された表示情報とに基づいて、受信された表示情報に対応する実行すべき動作を決定し、該動作を実行するように自装置を制御する制御手段と、を備えたことを特徴とする画像処理装置。
（１３）前記表示情報が所定フォーマットのドキュメントが表示されていることを示す情報であり、前記受信手段は、携帯端末のユーザを示すユーザ情報を受信し、前記記憶手段は、自装置が過去に動作を実行したドキュメントのフォーマット種別、実行した動作及び動作実行時刻をユーザ毎の動作履歴として記憶し、前記制御手段は、前記記憶手段に記憶された動作履歴におけるユーザ情報、フォーマット種別、動作実行時刻と、前記受信手段で受信したユーザ情報、ドキュメントのフォーマット種別、受信時刻とを比較し、これらが合致する動作履歴における動作を実行するように自装置を制御する前項１２に記載の画像処理装置。
（１４）前記実行すべき動作が前記ドキュメントの印刷であり、前記制御手段は自装置にそのドキュメントの印刷を実行させる前項１２または１３に記載の画像処理装置。
（１５）前記表示情報がドキュメントの先頭ページが表示されていることを示す情報である場合には、前記制御手段は、前記ドキュメントの先頭ページからの印刷を実行し、ドキュメントの途中ページが表示されていることを示す情報である場合には、前記ドキュメントの途中ページ以降の印刷を実行するように、自装置を制御する前項１４に記載の画像処理装置。
（１６）原稿を読み取る読み取り手段を備え、前記表示情報が電子メールアドレスの設定された電子メール設定画面が表示されていることを示す情報である場合は、前記制御手段は、前記読み取り手段により読み取られた原稿の画像データを添付ファイルとする電子メールを、前記電子メールアドレスに送信するための設定画面を、自装置の表示手段に表示するように自装置を制御する前項１２に記載の画像処理装置。
（１７）前記表示情報が、所定のウェブページのアドレスを示すブックマークの表示中であることを示す情報である場合は、前記制御手段は、前記ウェブページのアドレスにアクセスし、得られたウェブページを自装置の表示手段に表示するように自装置を制御する前項１２に記載の画像処理装置。
（１８）前記記憶手段は、記憶領域である１個又は複数個のボックスを備え、前記表示情報が、携帯端末が有するフォルダを表示中であることを示す情報であり、かつ表示情報に、該フォルダに保存されているファイルのリストが含まれている場合は、前記制御手段は、前記携帯端末が有するフォルダの内容と前記フォルダに対応する前記ボックスの内容とを一致させるフォルダ同期処理を実行するように自装置を制御する前項１２に記載の画像処理装置。
（１９）前記表示情報が、地図データを表示中であることを示す情報である場合は、前記制御手段は、ウェブサイトから同一地点の詳細な地図データをダウンロードして自装置の表示手段に表示するように自装置を制御する前項１２に記載の画像処理装置。
（２０）前記表示情報に、前記原稿読み取り手段の読み取り解像度及び添付ファイルのフォーマットの設定値が含まれている場合には、前記制御手段、前記設定画面を表示手段に表示させることなく、読み取り手段による原稿の読み取り及び電子メールの送信を実行するように自装置を制御する前項１６に記載の画像処理装置。
（２１）前記表示情報に、携帯端末の電子メール設定画面の電子メール本文に所定の情報が入力されたことを示す情報が含まれている場合には、前記制御手段は、前記設定画面を自装置の表示手段に表示させることなく、読み取り手段による原稿の読み取り及び電子メールの送信を実行するように自装置を制御する前項１６に記載の画像処理装置。
（２２）前記表示情報に、電子メール設定画面の電子メール本文に所定の情報以外の情報が入力されたことを示す情報が含まれている場合には、前記制御手段は、前記原稿読み取り手段により読み取られた原稿の画像データを携帯端末に送信するように自装置を制御する前項１６に記載の画像処理装置。
（２３）相互に非接触で通信可能な携帯端末と画像処理装置を備えた画像処理システムの動作方法であって、前記携帯端末は、該携帯端末の表示手段に何が表示されているかを示す表示情報を非接触通信により送信する送信ステップを実行し、前記画像処理装置は、前記携帯端末から送信されてきた表示情報を非接触通信により受信する受信ステップと、表示情報と画像処理装置が実行すべき動作とを予め対応付けて記憶する記憶手段の前記表示情報及び実行すべき動作と、前記受信ステップにおいて受信された表示情報とに基づいて、前記実行すべき動作を決定し、該動作を実行するように画像処理装置を制御する制御ステップと、を実行する画像処理システムの動作方法。
（２４）前記表示情報が所定フォーマットのドキュメントが表示されていることを示す情報であり、前記送信ステップでは、携帯端末のユーザを示すユーザ情報を送信し、前記画像処理装置の記憶手段は、自装置が過去に動作を実行したドキュメントのフォーマット種別、実行した動作及び動作実行時刻をユーザ毎の動作履歴として記憶し、前記画像処理装置の制御ステップでは、前記記憶手段に記憶された動作履歴におけるユーザ情報、フォーマット種別、動作実行時刻と、前記受信ステップにおいて受信したユーザ情報、ドキュメントのフォーマット種別、受信時刻とを比較し、これらが合致する動作履歴における動作を実行する前項２３に記載の画像処理システムの動作方法。
（２５）携帯端末と非接触で通信可能な画像処理装置のコンピュータに実行させるための動作プログラムであって、前記携帯端末から非接触通信により送信されてきた、該携帯端末の表示手段に何が表示されているかを示す表示情報を受信する受信ステップと、前記表示情報と自装置が実行すべき動作とを予め対応付けて記憶する記憶手段の前記表示情報及び実行すべき動作と、前記受信ステップにおいて受信された表示情報とに基づいて、前記実行すべき動作を決定し、該動作を実行するように画像処理装置を制御するステップと、を画像処理装置のコンピュータに実行させるための画像処理装置の動作プログラム。
（２６）前記表示情報が所定フォーマットのドキュメントが表示されていることを示す情報であり、前記受信ステップでは、携帯端末のユーザを示すユーザ情報を受信し、前記記憶手段は、自装置が過去に動作を実行したドキュメントのフォーマット種別、実行した動作及び動作実行時刻をユーザ毎の動作履歴として記憶し、前記画像処理装置の制御ステップでは、前記記憶手段に記憶された動作履歴におけるユーザ情報、フォーマット種別、動作実行時刻と、前記受信ステップにおいて受信したユーザ情報、ドキュメントのフォーマット種別、受信時刻とを比較し、これらが合致する動作履歴における動作を実行するように、画像処理装置を制御する処理をコンピュータに実行させる前項２５に記載の動作プログラム。
【発明の効果】
【０００７】
前項（１）の発明によれば、携帯端末から、表示手段に何が表示されているかを示す表示情報が非接触通信により送信される。画像処理装置は、表示情報と画像処理装置が実行すべき動作とを予め対応付けて記憶する記憶手段を有しており、記憶手段に対応付けて記憶された表示情報及び実行すべき動作と、受信された表示情報とに基づいて、実行すべき動作が決定され、決定された動作が画像処理装置により実行される。
【０００８】
つまり、画像処理装置は、携帯端末からの表示情報を単に受信するだけでなく、受信した表示情報に対応する動作を実行するから、携帯端末のユーザが画像処理装置に実行させたい動作に対応する情報を携帯端末に表示させて、画像処理装置と通信を行えば、ユーザが意図した動作が画像処理装置により自動的に実行される。このため、携帯端末のユーザが意図した動作を画像処理装置に実行させるために、携帯端末の操作後に画像処理装置を操作する必要はなくなり、ユーザの利便性を向上することができる。
【０００９】
前項（２）に記載の発明によれば、携帯端末のユーザを示すユーザ情報及びドキュメントが表示されていることを示す表示情報が、携帯端末から送信されると、画像処理装置は、記憶手段に記憶された動作履歴におけるユーザ情報、フォーマット種別、動作実行時刻と、前記受信手段で受信したユーザ情報、ドキュメントのフォーマット種別、受信時刻とを比較し、これらが合致する動作履歴における動作を実行する。従って、例えばユーザがフォーマットのドキュメントを携帯端末に表示し、表示情報を画像処理装置に送信して所定の動作を実行させた履歴が画像処理装置に記憶されている場合には、その履歴と同じ時刻にドキュメントデータを開いて表示情報を画像処理装置に送信するだけで、自動的に所定の動作が行われるから、ユーザがその動作を実行させるために画像処理装置を操作する手間を省略できる。
【００１０】
前項（３）に記載の発明によれば、ユーザが携帯端末にドキュメントを表示させて画像処理装置と通信を行うだけで、そのドキュメントの印刷が自動的に実行される。
【００１１】
前項（４）に記載の発明によれば、ユーザが携帯端末にドキュメントの先頭ページを表示させて画像処理装置と通信することにより、画像処理装置にドキュメントの先頭ページからの印刷を実行させることができ、携帯端末にドキュメントの途中ページを表示させて画像処理装置と通信することにより、画像処理装置にドキュメントの途中ページ以降の印刷を実行させることができる。
【００１２】
前項（５）に記載の発明によれば、ユーザは、携帯端末の電子メール設定画面を開いて電子メールアドレスを設定し、画像処理装置に表示情報を送信すれば、画像処理装置の読み取り手段により読み取られた原稿の画像データを添付ファイルとする電子メールを、前記電子メールアドレスに送信するための設定画面が、画像処理装置の表示手段に表示される。
【００１３】
前項（６）に記載の発明によれば、ユーザが、携帯端末に所定のウェブページのアドレスを示すブックマークを表示させ、画像処理装置と通信を行うと、画像処理装置の表示手段に、ウェブページのアドレスにアクセスして得られたウェブページが表示される。
【００１４】
前項（７）に記載の発明によれば、ユーザが、携帯端末のフォルダに保存されているファイルのリストを表示させ、画像処理装置と通信を行うと、画像処理装置は、携帯端末のフォルダの内容と画像処理装置における前記フォルダに対応するボックスの内容とを一致させるフォルダ同期処理を実行する。
【００１５】
前項（８）に記載の発明によれば、ユーザが、携帯端末に地図データを表示させ、画像処理装置と通信を行うと、画像処理装置の表示手段には、ウェブサイトからダウンロードされた同一地点の詳細な地図データが表示される。
【００１６】
前項（９）に記載の発明によれば、電子メール設定画面において、原稿読み取り手段の読み取り解像度及び添付ファイルのフォーマットが設定され、これらが表示情報に含まれて画像処理装置に送信された場合には、スキャン・電子メール動作の設定画面が画像処理装置の表示手段に表示されることなく、スキャン・電子メール動作が直ちに実行される。
【００１７】
前項（１０）に記載の発明によれば、ユーザが携帯端末に表示された電子メール設定画面の電メール本文に所定の情報を入力し、画像処理装置と通信を行うと、スキャン・電子メール動作が直ちに実行される。
【００１８】
前項（１１）に記載の発明によれば、電メール本文に前記決定の情報以外の情報が入力された場合には、画像処理装置の読み取り手段により読み取られた原稿の画像データが携帯端末に送信される。
【００１９】
前項（１２）に記載の発明によれば、携帯端末からの表示情報に基づいて決定される必要実行動作を実行する画像処理装置となし得、ユーザの利便性を向上することができる。
【００２０】
前項（１３）に記載の発明によれば、例えばユーザがフォーマットのドキュメントを携帯端末に表示し、表示情報を画像処理装置に送信して所定の動作を実行させた履歴が記憶手段に記憶されている場合には、その履歴と同じ時刻にドキュメントデータを開いて表示情報を画像処理装置に送信するだけで、自動的に所定の動作が行われる。
【００２１】
前項（１４）に記載の発明によれば、ユーザが携帯端末にドキュメントを表示させて画像処理装置と通信を行うだけで、そのドキュメントの印刷が自動的に実行される。
【００２２】
前項（１５）に記載の発明によれば、ユーザが携帯端末にドキュメントの先頭ページを表示させて画像処理装置と通信することにより、画像処理装置はドキュメントの先頭ページからの印刷を実行し、携帯端末にドキュメントの途中ページを表示させて画像処理装置と通信することにより、画像処理装置はドキュメントの途中ページ以降の印刷を実行する。
【００２３】
前項（１６）に記載の発明によれば、ユーザは、携帯端末の電子メール設定画面を開いて電子メールアドレスを設定し、画像処理装置と通信を行うことで、読み取り手段により読み取られた原稿の画像データを添付ファイルとする電子メールを、前記電子メールアドレスに送信するための設定画面が、画像処理装置の表示手段に表示される。
【００２４】
前項（１７）に記載の発明によれば、ユーザが、携帯端末に所定のウェブページのアドレスを示すブックマークを表示させ、画像処理装置と通信を行うと、画像処理装置の表示手段に、ウェブページのアドレスにアクセスして得られたウェブページが表示される。
【００２５】
前項（１８）に記載の発明によれば、ユーザが、携帯端末のフォルダに保存されているファイルのリストを表示させ、画像処理装置と通信を行うと、画像処理装置は、携帯端末のフォルダの内容と画像処理装置における前記フォルダに対応するボックスの内容とを一致させるフォルダ同期処理を実行する。
【００２６】
前項（１９）に記載の発明によれば、ユーザが、携帯端末に地図データを表示させ、画像処理装置と通信を行うと、画像処理装置は表示手段に、ウェブサイトからダウンロードされた同一地点の詳細な地図データを表示する。
【００２７】
前項（２０）に記載の発明によれば、電子メール設定画面において、原稿読み取り手段の読み取り解像度及び添付ファイルのフォーマットが設定され、これらが表示情報に含まれて画像処理装置に送信された場合には、画像処理装置は、スキャン・電子メール動作の設定画面を表示手段に表示することなく、スキャン・電子メール動作を直ちに実行する。
【００２８】
前項（２１）に記載の発明によれば、ユーザが携帯端末に表示された電子メール設定画面の電メール本文に所定の情報を入力し、画像処理装置と通信を行うと、画像処理装置はスキャン・電子メール動作を直ちに実行する。
【００２９】
前項（２２）に記載の発明によれば、電メール本文に前記決定の情報以外の情報が入力されている場合には、画像処理装置は読み取り手段により読み取った原稿の画像データを携帯端末に送信する。
【００３０】
前項（２３）に記載の発明によれば、携帯端末からの表示情報に基づいて決定される必要実行動作を画像処理装置に実行させることができ、ユーザの利便性を向上することができる。
【００３１】
前項（２４）に記載の発明によれば、例えばユーザがフォーマットのドキュメントを携帯端末に表示し、表示情報を画像処理装置に送信して所定の動作を実行させた履歴が記憶手段に記憶されている場合には、その履歴と同じ時刻にドキュメントデータを開いて表示情報を画像処理装置に送信するだけで、自動的に所定の動作が行われる。
【００３２】
前項（２５）に記載の発明によれば、携帯端末から非接触通信により送信された、該携帯端末の表示手段に何が表示されているかを示す表示情報に基づいて、該表示情報に対応する動作を画像処理装置に実行させる処理を、画像処理装置のコンピュータに実行させることができる。
【００３３】
前項（２６）に記載の発明によれば、携帯端末からユーザ情報と、所定フォーマットのドキュメントが表示されていることを示す表示情報が送信されると、画像処理装置は、記憶手段に記憶された動作履歴におけるユーザ、フォーマット種別、動作実行時刻と、受信したユーザのログイン情報とドキュメントのフォーマット種別と受信時刻とを比較し、これらが合致する動作履歴における動作を実行する処理を、画像処理装置のコンピュータに実行させることができる。
【図面の簡単な説明】
【００３４】
【図１】この発明の一実施形態に係る画像処理システムの構成図である。
【図２】図１のシステムに用いられる携帯端末の概略構成を示すブロック図である。
【図３】図１のシステムに用いられる画像処理装置の概略構成を示すブロック図である。
【図４】画像処理装置の動作履歴の一例を示す図である。
【図５】携帯端末から送信された表示情報に対応して実行すべき動作を決定するための表である。
【図６】画像処理装置の表示部に表示されたスキャン・電子メール動作用画面を示す図である。
【図７】画像処理装置の表示部に表示されたブラウザ画面を示す図である。
【図８】携帯端末で実行される画像処理装置との通信用アプリケーションの起動処理を示すフローチャートである。
【図９】図８のステップＳ０６のドキュメント検出処理のサブルーチンを示すフローチャートである。
【図１０】図８のステップＳ０７のメールアドレスチェック処理のサブルーチンを示すフローチャートである。
【図１１】図８のステップＳ０８のブラウザチェック処理のサブルーチンを示すフローチャートである。
【図１２】図８のステップＳ０９のデータフォルダチェック処理のサブルーチンを示すフローチャートである。
【図１３】画像処理装置の受信処理を示すフローチャートである。
【発明を実施するための形態】
【００３５】
以下、この発明の一実施形態を図面を参照して説明する。
【００３６】
図１はこの発明の一実施形態に係る画像処理システムの構成を示す図である。この画像処理システムは、例えば携帯電話やＰＤＡ（Personal Digital Assistants）などからなる携帯端末１と、画像処理装置としての画像形成装置である前述したＭＦＰ２を備え、これらの携帯端末１及びＭＦＰ２がそれぞれに設けられた非接触通信部１６、２９を介して、非接触通信（無線通信）によりデータを送受信可能となされている。
【００３７】
図２は携帯端末１の概略構成を示すブロック図である。
【００３８】
図２において、携帯端末１は、ＣＰＵ１１と、ＲＯＭ１２と、ＲＡＭ１３と、操作パネル部１４と、記憶部１５と、非接触通信部１６と、メール送受信部１７等を備えている。
【００３９】
前記ＣＰＵ１１は、携帯端末１の全体の動作を統括制御する他に、この実施形態では、ＭＦＰ２に対して前記表示部１４に何が表示されているかを示す表示情報や、ユーザがＭＦＰ２にログインするためのユーザ情報やパスワード等のログイン情報等を、非接触通信部１６を介してＭＦＰ２に送信する。前記表示情報の具体例については後述する。
【００４０】
前記ＲＯＭ１２は、ＣＰＵ１１の動作プログラム等を格納するメモリである。また、前記ＲＡＭ１３は、ＣＰＵ１１が動作プログラムに従って動作する際の作業領域を提供するメモリである。
【００４１】
前記操作パネル部１４は、表示部１４１と操作部１４２とを備えており、表示部１４１は、起動されたアプリケーションプログラム（単にアプリケーションともいう）に従う表示画面や各種のデータ、メッセージなどを表示する。また、操作部１４２は、動作選択用のキーなどを有しており、各種の入力に用いられる。
【００４２】
前記記憶部１５は、各種のアプリケーション、ドキュメントデータ、メールアドレス等の設定情報、その他の各種データを記憶するものである。
【００４３】
前記非接触通信部１６は、ＭＦＰ２と非接触通信を行うためのアプリケーションが起動されることにより、ＭＦＰ２との間でデータや情報の送受信を行うものである。非接触通信方式としては、特に限定されることはなく、公知の方式を採用すればよい。
【００４４】
前記メール送受信部１７は、電子メール機能を起動して電子メールを送受信するために用いられる。
【００４５】
図３は前記ＭＦＰ２の概略構成を示すブロック図である。
【００４６】
ＭＦＰ２は、ＣＰＵ２１と、ＲＯＭ２２と、ＲＡＭ２３と、スキャナ部２４と、記憶部２５と、プリンタ部２６と、操作パネル部２７と、ネットワークコントローラ（Ｎ１Ｃ）２８と、非接触通信部２９等を備えている。
【００４７】
前記ＣＰＵ２１は、ＭＦＰ２の全体を統括制御して、ＭＦＰ２の基本動作である例えばコピー、プリント、ファクシミリ送信、スキャン送信等の動作を実行する。さらに、この実施形態では、非接触通信部２９を介して携帯端末１から表示情報等を受信すると、表示情報と対応付けて記憶部２５に記憶された動作決定用の情報に基づいて、前記受信した表示情報に対応してＭＦＰ２が実行すべき動作を決定し、その動作を実行するようにＭＦＰ２を制御する。
【００４８】
前記ＲＯＭ２２は、ＣＰＵ２１の動作プログラム等を格納するメモリである。
【００４９】
前記ＲＡＭ２３は、ＣＰＵ２１が動作プログラムに基づいて動作する際の作業領域を提供するメモリである。
【００５０】
前記スキャナ部２４は、原稿台（図示せず）に置かれた原稿の画像を読み取り、画像データを出力する読み取り手段である。
【００５１】
前記記憶部２５は、例えばハードディスクドライブ（ＨＤＤ）などの不揮発性の記憶デバイスにより構成されている。この記憶部２５は、動作履歴記憶部２５１と、動作決定用情報記憶部２５２と、データを区分けして記憶可能な、ディレクトリに相当する複数のボックス２５３等を備えている。
【００５２】
前記動作履歴記憶部２５１には、携帯端末１のユーザが過去に、ユーザＩＤやパスワード等のログイン情報を送信してＭＦＰ２へログインするとともに、携帯端末１からドキュメントデータを送信しそのデータに対してＭＦＰ２に動作を指示し、ＭＦＰ２が指示に基づいて動作を実行したときの動作履歴情報が記憶されている。
【００５３】
具体的には、動作履歴情報として図４に示すように、動作を指示したユーザの情報と、動作時刻、ドキュメントデータのファイルフォーマット、動作種類が関連付けて記憶されている。例えば図４のＮｏ１の履歴には、ユーザ番号：００００１、動作時刻：１０時、ファイルフォーマット：ＰＤＦ、動作種類：ファクシミリ（ＦＡＸ）送信であることが記憶されている。
【００５４】
前記動作決定用情報記憶部２５２には、図５に示すような動作決定用テーブルが記憶されている。
【００５５】
図５に示す動作決定用テーブルは、携帯端末１から送信される表示情報と、ＭＦＰ２が実行すべき動作とを予め対応付けたものであり、このテーブルと携帯端末１から受信した実際の表示情報とを比較して、ＭＦＰ２は受信した表示情報に対応する実行すべき動作を決定し、実行するものとなされている。
【００５６】
例えば、表示情報がドキュメント表示中であることを示す情報であり、携帯端末のユーザ、表示されているドキュメントのフォーマット、表示情報の受信時刻が、動作履歴記憶部２５１に記憶されている図４の動作履歴情報のユーザ情報、動作時刻、ファイルフォーマットと合致するものがあれば、その合致する動作履歴情報に記憶された動作が、受信した表示情報に対応して実行すべき動作として決定され、ＭＦＰ２は決定された動作を実行する。
【００５７】
具体的には、動作履歴情報に記憶された動作がボックス転送動作であれば、ＭＦＰ２は、送信されたドキュメントデータを動作履歴情報で示されるボックスに転送する動作を実行する（図５のＮｏ１）。動作履歴情報に記憶された動作がプリント動作であれば、携帯端末１から送信されたドキュメントデータをプリントする。この実施形態では、携帯端末１の表示部にドキュメントの先頭ページが表示されている場合、換言すれば、表示情報がドキュメントの先頭ページが表示されていることを示す情報である場合は、ドキュメントデータの先頭ページからプリントする（図５のＮｏ２）。また、ドキュメントの途中ページが表示されている場合、換言すれば、表示情報がドキュメントの途中ページが表示されていることを示す情報である場合は、ドキュメントデータの前記途中ページ以降のページをプリントする（図５のＮｏ３）。
【００５８】
動作履歴情報に記憶された動作がＦＡＸ送信であれば、送信されたドキュメントデータを、動作履歴情報で示される宛先にＦＡＸ送信する（図５のＮｏ４）。
【００５９】
なお、合致する動作履歴情報が存在しない場合は、ＭＦＰ２は操作パネル部２７の表示部２７１に機能選択画面を表示する（図５のＮｏ５）。
【００６０】
また、表示情報が電子メールアドレスの設定された電子メール設定画面が表示されていることを示す情報である場合は、スキャナ部による原稿の読み取り及び読み取りにより得られた画像データを添付ファイルとする電子メールの前記電子メールアドレスへの送信を行うための、図６に示すようなスキャン・電子メール動作用の設定画面を、操作パネル部２７の表示部２７１に表示する（図５のＮｏ６）。
【００６１】
図６に示すスキャン・電子メール動作用の設定画面においては、スキャナ部による原稿の読取解像度と、添付ファイルである読み取られた原稿の画像データのフォーマットを設定でき、設定後に原稿をスキャナ部にセットして図示しないスタートボタンを押すと、スキャナ部による原稿の読み取りが設定された解像度で開始され、読み取られた原稿の画像データが設定されたフォーマットで電子メールに添付され、該電子メールが設定された宛先に送信される。
【００６２】
また、表示情報が電子メールアドレスの設定された電子メール設定画面が表示されていることを示す情報であって、表示情報に、スキャナ部の読み取り解像度及び添付ファイルのフォーマットの設定値が含まれている場合には、ＭＦＰ２は、図６のスキャン・電子メール動作用の設定画面を表示部２７１に表示させることなく、前記設定値にて直ちにスキャナ部による原稿の読み取りと電子メールの送信を実行する（図５のＮｏ７）。
【００６３】
また、表示情報が電子メールアドレスの設定された電子メール設定画面が表示されていることを示す情報であって、表示情報に、電子メール設定画面の電メール本文に所定の情報（例えば＊等の所定の記号）が入力されたことを示す情報が含まれている場合には、ＭＦＰ２は、図６のスキャン・電子メール動作用の設定画面を表示部２７１に表示させることなく、直ちにスキャナ部による原稿の読み取りと電子メールの送信を実行する（図５のＮｏ８）。この場合、スキャナ部による原稿の読取解像度と添付ファイルのフォーマットはＭＦＰ２のデフォルトの設定に従って行われる。
【００６４】
また、表示情報が電子メールアドレスの設定された電子メール設定画面が表示されていることを示す情報であって、表示情報に、電子メール設定画面の電子メール本文に前記所定の情報以外の情報が入力されたことを示す情報が含まれている場合は、ＭＦＰ２は、スキャナ部により原稿を読み取って、得られた画像データ（画像ファイル）を携帯端末１に転送する動作を実行する（図５のＮｏ９）。
【００６５】
また、表示情報が電子メール設定画面が表示されていることを示す情報であって、図５のＮｏ６〜９以外の場合には、ＭＦＰ２は、表示部２７１に電子メール送信画面を表示する（図５のＮｏ１０）。
【００６６】
また、表示情報が所定のウェブページのアドレスを示すブックマークの表示中であることを示す情報である場合は、ＭＦＰ２は、前記ウェブページのアドレスにアクセスし、得られたウェブページを表示部２７１へ表示する（図５のＮｏ１１）。
【００６７】
また、表示情報が、携帯端末１のフォルダを表示中であることを示す情報である場合は、ＭＦＰ２は、携帯端末１のフォルダの内容と携帯端末１のユーザが所有するボックスの内容とを一致させるフォルダ同期処理を実行する（図５のＮｏ１２）。
【００６８】
なお、対応するユーザのボックスがＭＦＰ２に存在しないような場合には、ＭＦＰ２はプリント設定画面を表示部２７１に表示する（図５のＮｏ１３）。
【００６９】
また、表示情報が、地図データを表示中であることを示す情報である場合は、ＭＦＰ２は、ウェブサイトから同一地点のコンピュータ（ＰＣ）用の詳細な地図データをダウンロードして表示部２７１に表示する（図５のＮｏ１４）。
【００７０】
なお、表示情報が、地図データ以外のウェブページのデータを表示中であることを示す情報である場合は、ＭＦＰ２はそのウェブページを表示部２７１に表示する（図５のＮｏ１５）。
【００７１】
図３に戻り、前記プリンタ部２６は、スキャナ部２４で読み取られた原稿の画像データや、携帯端末１から送信されたドキュメントデータや、外部のパーソナルコンピュータ等から送信されたプリントデータ等を印刷するものである。
【００７２】
前記操作パネル２７は、ＭＦＰ２の操作状態やメッセージ等を表示するための液晶タッチパネルからなる表示部２７１と、テンキー、スタートキー、ストップキー等を備えたキー入力部２７２とを備えている。
【００７３】
前記ネットワークコントローラ（Ｎ１Ｃ）２８は、ＬＡＮ等のネットワークを介して外部装置との間でデータの送受信を行うための通信部として機能する。
【００７４】
前記非接触通信部２９は、携帯端末１との間で非接触通信（無線通信）によるデータの送受信を行うものである。
【００７５】
次に、図１に示したシステムの使用方法を一例を挙げて説明する。
【００７６】
なお、携帯端末１はマルチタスクで動作可能であり、また携帯端末１には、前述したように、非接触通信部を利用してＭＦＰと通信を行うことができる通信用アプリケーションがあらかじめインストールされている。
【００７７】
この実施形態では、あらかじめＭＦＰ２に実行させたい動作に対応する操作を携帯端末１で実行しておき、通信用アプリケーションをマルチタスクで起動する。それによって、通信用アプリケーションは、携帯端末１の操作状態を認識し、操作パネル部１４の表示部１４１に現在何が表示されているかを認識する。
【００７８】
携帯端末１の前記通信用アプリケーションは、非接触通信部１６を介してＭＦＰ２との接続が確立された時点で、ＭＦＰ２へユーザのログイン情報を送信しＭＦＰ２へのログインを行う。ログインが成功した場合、通信用アプリケーションは、起動時に認識した、操作パネル部１４の表示部１４１に現在何が表示されているかを示す表示情報をＭＦＰ２に送信する。
【００７９】
ＭＦＰ２は携帯端末１から表示情報を受信すると、図５のテーブルから、受信した表示情報に対応する動作を決定し、実行する。
［例１］
ユーザＡ（ユーザＮｏ：００００２）はいつも時刻１５：００ごろに、ＰＤＦフォーマットのドキュメントデータの印刷を行うが、その日も同じように時刻１５：００ごろ携帯端末から印刷を行おうと、ＰＤＦドキュメントを開いて、携帯端末１の表示部１４１に表示させる。
【００８０】
この状態で、ＭＦＰ２との通信用アプリケーションを起動させ、ＭＦＰ２と通信を行い、ユーザ情報を含むログイン情報とドキュメントデータを含む表示情報とをＭＦＰ２に送信する。
【００８１】
ログイン情報と表示情報を受信したＭＦＰ２は、表示情報からドキュメントデータが表示中であることを認識し、図５のテーブルに基づいて図４に示したようなユーザについての履歴を参照し、ユーザが過去に同じ時刻に同一フォーマットのファイル（ドキュメントデータ）に対して行った動作を、表示情報に対応する動作として決定する。なお、同じ時刻とは必ずしも完全同一の時刻を意味するものではなく、一定時間の差を予め設定し、その時間差の範囲内であれば同一時刻と判断しても良い。
【００８２】
そして、決定したプリント等の動作を、受信したドキュメントデータに対して実行する。
【００８３】
なお、この場合、携帯端末１にドキュメントデータの先頭ページが表示されていた場合には、ドキュメントデータの全ページのデータがＭＦＰ２に送信され、全ページが印刷等される。一方、ドキュメントデータの途中ページが表示されていた場合には、ドキュメントデータの表示されている途中ページ以降のデータがＭＦＰ２に送信され、途中ページ以降のページが印刷等される。
［例２］
ＭＦＰ２のスキャナ部２４で読み取った原稿の画像データを、携帯端末１に記憶されているメールアドレスに送信したいユーザＡは、携帯端末１で電子メール用アプリケーション（いわゆるメーラ）を起動して、携帯端末１の表示部１４１に電子メール設定画面を表示させ、送信したいメールアドレスを設定する。
【００８４】
この状態で、ＭＦＰ２との通信用アプリケーションを起動させ、ＭＦＰ２と通信を行い、電子メールアドレスを含む表示情報をＭＦＰ２に送信する。
【００８５】
表示情報を受信したＭＦＰ２は、図５のテーブルを参照して表示情報に対応する動作を決定し、スキャン・電子メール動作用の設定画面を、操作パネル部２７の表示部２７１に表示する。
［例３］
ＭＦＰ２の表示部２７１の大きい画面でウェブページを表示させたいユーザＡは、携帯端末１でブラウザを起動し、表示したいウェブページのブックマークを表示部１４１に表示する。
【００８６】
この状態で、ＭＦＰ２との通信用アプリケーションを起動させ、ＭＦＰ２と通信を行い、ブックマークに示されたウェブページのアドレスを含む表示情報をＭＦＰ２に送信する。
【００８７】
表示情報を受信したＭＦＰ２は、図５のテーブルを参照して表示情報に対応する動作を決定し、ブラウザを起動して表示情報に含まれるウェブページのアドレスにアクセスし、得られたウェブページを図７に示す表示部２７１のブラウザ画面に表示する。
［例４］
携帯端末１のフォルダとＭＦＰ２の個人ボックスの内容を一致させたいユーザＡは、携帯端末１でデータフォルダを起動し、一致させたいフォルダを表示部１４１に表示する。
【００８８】
この状態で、ＭＦＰ２との通信用アプリケーションを起動させ、ＭＦＰ２と通信を行い、前記フォルダに含まれるファイルのリストを含む表示情報をＭＦＰ２に送信する。
【００８９】
表示情報を受信したＭＦＰ２は、図５のテーブルを参照して表示情報に対応する動作を決定し、フォルダ同期処理を実行する。
【００９０】
なお、フォルダ同期処理は、携帯端末１からフォルダ内の全ファイルのデータを送信することにより行っても良いし、ＭＦＰ２がファイルリストから不足ファイルを検出して、不足ファイルのみのデータの取得要求を携帯端末１に送信することにより行っても良い。
［例５］
携帯端末１の表示部１４１に表示させた地図の詳細が見たいユーザＡは、地図を表示させた状態で、ＭＦＰ２との通信用アプリケーションを起動させ、ＭＦＰ２と通信を行い、前記地図データを含む表示情報をＭＦＰ２に送信する。
【００９１】
表示情報を受信したＭＦＰ２は、図５のテーブルを参照して表示情報に対応する動作を決定し、ウェブサイトから同一地点のコンピュータ用の詳細な地図データをダウンロードして表示部２７１に表示する。
［例６］
ＭＦＰ２のスキャナ部２４で読み取った原稿の画像データを、携帯端末１に記憶されているメールアドレスに直接に送信したいユーザＡは、携帯端末１で電子メール用アプリケーションを起動して、携帯端末１の表示部１４１に電子メール設定画面を表示させ、送信したいメールアドレスを設定する。また、スキャナ部２４の読み取り解像度や添付ファイルのフォーマット等の設定を、携帯端末１の設定ファイルに保持する。
【００９２】
この状態で、ＭＦＰ２との通信用アプリケーションを起動させ、ＭＦＰ２と通信を行い、電子メールアドレス及び前記読み取り解像度や添付ファイルのフォーマット等の設定を含む表示情報をＭＦＰ２に送信する。
【００９３】
表示情報を受信したＭＦＰ２は、図５のテーブルを参照して表示情報に対応する動作を決定し、スキャン・電子メール動作用の設定画面を表示することなく、設定された読み取り解像度でスキャナ部２４による原稿の読み取りを実行し、読み取ったデータを設定されたフォーマットで添付して、前記メールアドレスに電子メールを送信する。
［例７］
ＭＦＰ２のスキャナ部２４で読み取った原稿の画像データを、携帯端末１に記憶されているメールアドレスに直接に送信したいユーザＡは、携帯端末１で電子メール用アプリケーションを起動して、携帯端末１の表示部１４１に電子メール設定画面を表示させ、送信したいメールアドレスを設定するとともに、メール本文に所定の情報である例えば「＊」のみを入力する。
【００９４】
この状態で、ＭＦＰ２との通信用アプリケーションを起動させ、ＭＦＰ２と通信を行い、電子メールアドレス及び前記所定の情報を含む表示情報をＭＦＰ２に送信する。
【００９５】
表示情報を受信したＭＦＰ２は、図５のテーブルを参照して表示情報に対応する動作を決定し、スキャン・電子メール動作用の設定画面を表示することなく、デフォルトで設定された読み取り解像度でスキャナ部２４による原稿の読み取りを実行し、読み取ったデータをデフォルトのフォーマットで添付して、前記メールアドレスに電子メールを送信する。
［例８］
ＭＦＰ２のスキャナ部２４で読み取った原稿の画像データを、携帯端末１に転送してもらいたいユーザＡは、携帯端末１で電子メール用アプリケーションを起動して、携帯端末１の表示部１４１に電子メール設定画面を表示させ、メールアドレスを設定するとともに、メール本文に前記所定の情報である例えば「＊」以外の情報を入力する。
【００９６】
この状態で、ＭＦＰ２との通信用アプリケーションを起動させ、ＭＦＰ２と通信を行い、電子メールアドレス及び前記入力された情報を含む表示情報をＭＦＰ２に送信する。
【００９７】
表示情報を受信したＭＦＰ２は、図５のテーブルを参照して表示情報に対応する動作を決定し、デフォルトで設定された読み取り解像度でスキャナ部２４による原稿の読み取りを実行し、読み取ったデータを携帯端末１に転送する。
【００９８】
このように、携帯端末１のユーザがＭＦＰ２に実行させたい動作に対応する情報を携帯端末１の表示部１４１に表示させて、ＭＦＰ２と通信を行えば、表示情報がＭＦＰ２に送信され、表示情報に対応する動作、換言すればユーザが意図した動作がＭＦＰ２により自動的に実行される。このため、携帯端末１のユーザが意図した動作をＭＦＰ２に実行させるために、携帯端末１の操作後にＭＦＰ２を操作する必要はなくなり、ユーザの利便性を向上することができる。
【００９９】
図８は、携帯端末１におけるＭＦＰ２との通信アプリケーション（以下の図面ではアプリケーションをアプリと略記している）の起動処理を説明するためのフローチャートである。この処理は携帯端末１のＣＰＵ１１がＲＯＭ１２等の記録媒体に記録されている動作プログラムに従って動作することにより実行される。
【０１００】
ステップＳ０１において、バックグラウンドで動作しているアプリケーションがあるかどうかを判断する。なければ（ステップＳ０１でＮＯ）、ステップＳ１０に進む。アプリケーションがあれば（ステップＳ０１でＹＥＳ）、ステップＳ０２に進む。
【０１０１】
ステップＳ０２では、ドキュメントビューアが起動されているかどうかを判断する。起動されていれば（ステップＳ０２でＹＥＳ）、ステップＳ０６に進んでドキュメント検出処理を実行した後、ステップＳ１０に進む。ドキュメント検出処理については後述する。
【０１０２】
ステップＳ０２において、ドキュメントビューアが起動されていなければ（ステップＳ０２でＮＯ）、ステップＳ０３で、電子メール用アプリケーションが起動されているかどうかを判断する。起動されていれば（ステップＳ０３でＹＥＳ）、ステップＳ０７に進んでメールアドレスチェック処理を実行した後、ステップＳ１０に進む。メールアドレスチェック処理については後述する。
【０１０３】
ステップＳ０３において、電子メール用アプリケーションが起動されていなければ（ステップＳ０３でＮＯ）、ステップＳ０４で、ブラウザアプリケーションが起動されているかどうかを判断する。起動されていれば（ステップＳ０４でＹＥＳ）、ステップＳ０８に進んでブラウザチェック処理を実行した後、ステップＳ１０に進む。ブラウザチェック処理については後述する。
【０１０４】
ステップＳ０４において、ブラウザアプリケーションが起動されていなければ（ステップＳ０４でＮＯ）、ステップＳ０５で、データフォルダアプリケーションが起動されているかどうかを判断する。起動されていれば（ステップＳ０５でＹＥＳ）、ステップＳ０９に進んでデータフォルダチェック処理を実行した後、ステップＳ１０に進む。データフォルダチェック処理については後述する。
【０１０５】
ステップＳ０５において、データフォルダアプリケーションが起動されていなければ（ステップＳ０５でＮＯ）、ステップＳ１０に進む。
【０１０６】
ステップＳ１０では、ＭＦＰ２へのログイン処理を行い、ステップＳ１１で表示情報等のデータをＭＦＰ２に送信するデータ送信処理を実行して、通信アプリケーション起動処理を終了する。
【０１０７】
図９は、図８におけるステップＳ０６のドキュメント検出処理のサブルーチンを示すフローチャートである。
【０１０８】
ステップＳ０６１において、ビューアで開かれているドキュメントファイル（ドキュメントデータ）があるかどうかを判断し、あれば（ステップＳ０６１でＹＥＳ）、ステップＳ０６２で、そのファイルの読み込み処理を行い、ステップＳ０６３で読み込んだファイルを保持し、リターンする。ステップＳ０６１でドキュメントファイルが開かれていなければ、そのまま終了する。尚、保持されたファイルは、図８のステップＳ１１でＭＦＰ２に送信される。
【０１０９】
図１０は、図８におけるステップＳ０７のメールアドレスチェック処理のサブルーチンを示すフローチャートである。
【０１１０】
ステップＳ０７１で、メールアドレスが設定されているかどうかを判断し、設定されていれば（ステップＳ０７１でＹＥＳ）、ステップＳ０７２でそのメールアドレスを保持したのち、ステップＳ０７３に進む。メールアドレスが設定されていなければ（ステップＳ０７１でＮＯ）、そのままステップＳ０７３に進む。
【０１１１】
ステップＳ０７３では、設定ファイルに添付ファイルについてのファイルフォーマットが設定されているかどうかを判断し、設定されていれば（ステップＳ０７３でＹＥＳ）、ステップＳ０７４でそのファイルフォーマットを保持したのち、ステップＳ０７５に進む。ファイルフォーマットが設定されていなければ（ステップＳ０７３でＮＯ）、そのままステップＳ０７５に進む。
【０１１２】
ステップＳ０７５では、設定ファイルにスキャナ部２４の読み取り解像度が設定されているかどうかを判断し、設定されていれば（ステップＳ０７５でＹＥＳ）、ステップＳ０７６でその解像度を保持したのち、ステップＳ０７７に進む。解像度が設定されていなければ（ステップＳ０７５でＮＯ）、そのままステップＳ０７７に進む。
【０１１３】
ステップＳ０７７では、メール本文に所定の記号等が入力されているかどうかを判断し、入力されていれば（ステップＳ０７７でＹＥＳ）、ステップＳ０７８で入力された本文を保持したのち、リターンする。メール本文への入力がなされていなければ（ステップＳ０７７でＮＯ）、そのままリターンする。尚、保持されたファイルフォーマットや解像度の設定値は、図８のステップＳ１１でＭＦＰ２に送信される。
【０１１４】
図１１は、図８におけるステップＳ０８のブラウザチェック処理のサブルーチンを示すフローチャートである。
【０１１５】
ステップＳ０８１で、ブックマークを表示中かどうかを判断し、表示中であれば（ステップＳ０８１でＹＥＳ）、ステップＳ０８４でブックマークされたウェブページアドレスを保持した後、リターンする。
【０１１６】
ステップＳ０８１で、ブックマーク表示中でなければ（ステップＳ０８１でＮＯ）、ステップＳ０８２で、ブラウザ表示中かどうかを判断し、ブラウザ表示中であれば（ステップＳ０８２でＹＥＳ）、ステップＳ０８３で、表示中のウェブページのアドレスを保持した後、リターンする。ブラウザ表示中でなければ（ステップＳ０８２でＮＯ）、そのままリターンする。尚、保持されたアドレスは、図８のステップＳ１１でＭＦＰ２に送信される。
【０１１７】
図１２は、図８におけるステップＳ０９のデータフォルダチェック処理のサブルーチンを示すフローチャートである。
【０１１８】
ステップＳ０９１で、フォルダを表示中かどうかを判断し、表示中でなければ（ステップＳ０９１でＮＯ）、そのままリターンする。表示中であれば（ステップＳ０９１でＹＥＳ）、ステップＳ０９２でフォルダに保存されているファイルリストを取得し、ステップＳ０９３で、取得したファイルリストを保持した後リターンする。尚、保持されたファイルリストは、図８のステップＳ１１でＭＦＰ２に送信される。
【０１１９】
図１３は、ＭＦＰ２が実行する受信処理を示すフローチャートである。尚、この処理は、ＣＰＵ２１がＲＯＭ２２等の記録媒体に記録された動作プログラムに従って動作することにより実行される。
【０１２０】
ステップＳ２１で、携帯端末１から送信されたログイン情報に基づいてユーザログイン処理を実施し、ステップＳ２２で、表示情報を受信し、受信した表示情報と図５に示すテーブルと必要に応じて図４に示す動作履歴とを比較し、表示情報に対応するＭＦＰが実行すべき動作を決定する。
【０１２１】
次に、ステップＳ２３で、ステップＳ２２の決定に基づいて、プリンタ部２６によるプリント処理が必要かどうかを判断する。必要であれば（ステップＳ２３でＹＥＳ）、ステップＳ２４で、表示情報に含まれているドキュメントデータを先頭ページからあるいは途中ページから印刷したのち、本ルーチンを終了する。プリント処理の必要がなければ（ステップＳ２３でＮＯ）、ステップＳ２５で、ボックスへの転送処理が必要かどうかを判断する。必要であれば（ステップＳ２５でＹＥＳ）、ステップＳ２６で、表示情報に含まれているドキュメントデータを動作履歴で示されるボックスに転送した後、本ルーチンを終了する。
【０１２２】
ボックスへの転送処理の必要がなければ（ステップＳ２５でＮＯ）、ステップＳ２７で、ＦＡＸ送信処理が必要かどうかを判断する。必要であれば（ステップＳ２７でＹＥＳ）、ステップＳ２８で、動作履歴で示される宛先にＦＡＸ送信したのち、本ルーチンを終了する。ＦＡＸ送信処理の必要がなければ（ステップＳ２７でＮＯ）、ステップＳ２９で、スキャナ部による原稿読み取り処理（スキャン処理）が必要であるかどうかを判断する。必要でなければ（ステップＳ２９でＮＯ）、ステップＳ３０に進み、必要であれば（ステップＳ２９でＹＥＳ）、ステップＳ３７に進む。
【０１２３】
ステップＳ３０では、フォルダ同期処理が必要かどうかを判断し、必要であれば（ステップＳ３０でＹＥＳ）、ステップＳ３１で、フォルダ同期処理を実行したのち処理を終了する。フォルダ同期処理が必要でなければ（ステップＳ３０でＮＯ）、ステップＳ３２で、ウェブ表示処理が必要かどうかを判断する。必要がなければ（ステップＳ３２でＮＯ）、ステップＳ３６に進む。必要であれば（ステップＳ３２でＹＥＳ）、ステップＳ３３で、ウェブページにアクセスして地図データを取得する必要があるかどうかを判断する。必要がなければ（ステップＳ３３でＮＯ）、ステップＳ３４で、表示情報に示されるアドレスにアクセスして、表示部２７１にウェブページを表示したのち、本ルーチンを終了する。地図データを取得する必要があれば（ステップＳ３３でＹＥＳ）、ステップＳ３５で、地図データを取得し、表示部２７１に地図データを表示したのち、本ルーチンを終了する。
【０１２４】
ステップＳ３６では、機能選択画面の表示処理を実行して機能選択画面を表示部２７１に表示し、本ルーチンを終了する。
【０１２５】
一方、ステップＳ３７では、メール送信処理が必要かどうかを判断し、必要であれば（ステップＳ３７でＹＥＳ）、ステップＳ３８で、メール送信処理を実行する。即ち、スキャナ部２４で原稿を読み取って画像データを取得すると共に、取得した画像データを表示情報に含まれている電子メールアドレスに送信し、あるいは携帯端末１に転送する。そして、本ルーチンを終了する。
【０１２６】
ステップＳ３７において、メール送信処理が必要でなければ（ステップＳ３７でＮＯ）、ステップＳ３９で、スキャン・電子メール動作用画面の表示が必要かどうかを判断する。必要であれば（ステップＳ３９でＹＥＳ）、ステップＳ４０で、スキャン・電子メール動作用画面を表示部２７１に表示した後、本ルーチンを終了する。
【０１２７】
ステップＳ３９において、スキャン・電子メール動作用画面の表示が必要でなければ（ステップＳ３９でＮＯ）、ステップＳ４１で、メール送信設定画面を表示部２７１に表示して、本ルーチンを終了する。
【符号の説明】
【０１２８】
１    携帯端末
２    ＭＦＰ（画像処理装置）
１１  ＣＰＵ
１２  ＲＯＭ
１４  操作パネル部
１４１  表示部
１５  記憶部
１６  非接触通信部
１７  メール送受信部
２１  ＣＰＵ
２２  ＲＯＭ
２４  スキャナ部
２５  記憶部
２５１  動作履歴記憶部
２５２  動作決定用情報記憶部
２５３  ボックス
２６  プリンタ部
２９  非接触通信部
【図１】
2010199642.tif 000003
【図２】
2010199642.tif 000004
【図３】
2010199642.tif 000005
【図４】
2010199642.tif 000006
【図５】
2010199642.tif 000007
【図６】
2010199642.tif 000008
【図７】
2010199642.tif 000009
【図８】
2010199642.tif 000010
【図９】
2010199642.tif 000011
【図１０】
2010199642.tif 000012
【図１１】
2010199642.tif 000013
【図１２】
2010199642.tif 000014
【図１３】
2010199642.tif 000015